(57)【要約】      （修正有）【課題】加熱によって燃えない植物草本霧化棒の紙管を提供する。【解決手段】植物草本霧化棒の紙管は巻紙を含み、巻紙は白色カードボード２を巻くことにより製造される。白色カードボードの表面の一端には食用シリコーン油３が塗布され、白色カードボードの表面の他端には食用接着剤４が塗布される。食用レベルの白色カードボード、食用シリコーン油、食用接着剤を採用することにより、巻紙は滲出を長く防止することができる。また、少量の食用接着剤を採用することにより巻紙をより安全に、より健康にすることができる。また、巻紙は多層に形成されることにより良好な強度と真円度を有しており、容易に変形することができない。【選択図】図２
0003225788.tif 000002
【実用新案登録請求の範囲】
【請求項１】
巻紙（１）を含む燃えない植物草本霧化棒の紙管であって、前記巻紙（１）は白色カードボード（２）を巻くことにより製造され、前記白色カードボード（２）の表面の一端には食用シリコーン油（３）が塗布され、前記白色カードボード（２）の表面の他端には食用接着剤（４）が塗布されることを特徴とする燃えない植物草本霧化棒の紙管。
【請求項２】
前記白色カードボード（２）の長さは８６ｍｍであり、前記カードボード（２）の幅は４６ｍｍであり、前記カードボード（２）は食用材料で製造されることを特徴とする請求項１に記載の燃えない植物草本霧化棒の紙管。
【請求項３】
前記食用シリコーン油（３）の幅は２２〜２５ｍｍであり、食用シリコーン油（３）は無色無味の耐高温の材料で製造されることを特徴とする請求項１に記載の燃えない植物草本霧化棒の紙管。
【請求項４】
前記食用接着剤（４）の幅は１．０ｍｍであり、前記食用接着剤（４）は白色無味の材料で製造されることを特徴とする請求項１に記載の燃えない植物草本霧化棒の紙管。
【請求項５】
前記巻紙（１）の内径は６．５ｍｍであり、前記巻紙（１）の外径は７．０〜７．３ｍｍであることを特徴とする請求項１に記載の燃えない植物草本霧化棒の紙管。
【請求項６】
前記巻紙（１）は多層に形成されることを特徴とする請求項１に記載の燃えない植物草本霧化棒の紙管。
【考案の詳細な説明】
【技術分野】
【０００１】
この考案は、霧化棒の技術分野に属し、特に、加熱によって燃えない植物草本霧化棒の紙管に関するものである。
【背景技術】
【０００２】
従来の加熱によって燃えない霧化棒またはリキッドの煙霧形成載置区域には香料エッセンスが添加されることにより一定の湿度と水分を有している。それらの外層には単層または傾斜して巻き付けられる紙管しか形成されず、紙管の内壁には保護手段が形成されていないので、装置を長く使用するとき、煙霧形成載置区域の水分は紙製壁に浸透し、紙管の外表面にいろいろな色のスポットが形成されるおそれがある。そのスポットはかびが生えているように見えるので、見た目に大きな影響を与え、ユーザーに健康的でない心理的な影響を与えるおそれがある。傾斜して巻き付けられる紙管はそれ自体の製造工程によりユーザーの健康に影響を与えるという問題を有している。傾斜して巻き付けられる紙管の各層の表面に接着剤を塗布するか或いは紙の表面に薄い接着材を予め塗布した後、専用のカーリング装置によりそれを所定の形状に成型する。その場合紙管の各層の間は接着剤によって接着される。常温の状態下においてはユーザーの健康にほとんど影響を与えないが、加熱装置によって２００〜４００℃まで加熱される場合、紙管内の接着剤が揮発するので、リキッドを長く吸うと、眩暈、吐き気等の症状が発生し、リキッドを長く吸うことによりユーザーの健康に大きい影響を与えるおそれがある。そのため、この考案において加熱によって燃えない植物草本霧化棒の紙管を提供する。
【考案の概要】
【考案が解決しようとする課題】
【０００３】
この考案の目的は従来の技術の技術的問題を解決するため加熱によって燃えない植物草本霧化棒の紙管を提供することにある。
【課題を解決するための手段】
【０００４】
前記目的を実現するため、この考案において下記の技術的事項を採用する。
この考案の加熱によって燃えない植物草本霧化棒の紙管は巻紙を含み、前記巻紙は白色カードボードを巻くことにより製造される。前記白色カードボードの表面の一端には食用シリコーン油が塗布され、前記白色カードボードの表面の他端には食用接着剤が塗布される。
【０００５】
好ましくは、前記白色カードボードの長さは８６ｍｍであり、前記カードボードの幅は４６ｍｍであり、前記カードボードは食用材料で製造される。
【０００６】
好ましくは、前記食用シリコーン油の幅は２２〜２５ｍｍであり、食用シリコーン油は無色無味の耐高温の材料で製造される。
【０００７】
好ましくは、前記食用接着剤の幅は１．０ｍｍであり、前記食用接着剤は白色無味の材料で製造される。
【０００８】
好ましくは、前記巻紙の内径は６．５ｍｍであり、前記巻紙の外径は７．０〜７．３ｍｍである。
【０００９】
好ましくは、前記巻紙は多層に形成される。
【考案の効果】
【００１０】
従来の技術と比較してみると、この考案の加熱によって燃えない植物草本霧化棒の紙管により下記の考案の効果を獲得することができる。
前記加熱によって燃えない植物草本霧化棒の紙管は、食用レベルの白色カードボード、食用シリコーン油、食用接着剤を採用することにより巻紙を容易に製造することができ、巻紙は滲出を長く防止することができる。また、少量の食用接着剤を採用することにより巻紙をより安全に、より健康にすることができる。また、巻紙は多層に形成されることにより良好な強度と真円度を有しており、容易に変形することができない。
【００１１】
この考案において、説明されていない部分はいずれも、従来の技術と類似する技術を用いるか或いは従来の技術を直接に用いることができる。この考案において、食用レベルの白色カードボード、食用シリコーン油、食用接着剤の材料で製造される巻紙を採用することにより、巻紙は滲出を長く防止することができる。また、少量の食用接着剤を採用することにより巻紙をより安全に、より健康的にすることができる。また、巻紙は多層に形成されることにより良好な強度と真円度を有しており、容易に変形することができない。
【図面の簡単な説明】
【００１２】
【図１】この考案の実施例に係る加熱によって燃えない植物草本霧化棒の紙管の構造を示す図である。
【図２】この考案の実施例に係る加熱によって燃えない植物草本霧化棒の紙管の白色カードボードの構造を示す図である。
【考案を実施するための形態】
【００１３】
以下、この考案の実施例中の図面によりこの考案の実施例に係る技術的事項を詳細に、充分に説明する。注意されたいことは、下記の実施例はこの考案の例示にしか過ぎないものであるため、この考案は下記の実施形態の構成にのみ限定されるものではない。
【００１４】
図１〜２を参照すると、この考案の加熱によって燃えない植物草本霧化棒の紙管は巻紙（ｓｃｒｏｌｌ）１を含み、巻紙１は白色カードボード（ｃａｒｄｂｏａｒｄ）２を巻くことにより製造される。白色カードボード２の表面の一端には食用シリコーン油（ｓｉｌｉｃｏｎｅ  ｏｉｌ）３が塗布され、白色カードボード２の表面の他端には食用接着剤４が塗布される。
【００１５】
白色カードボード２の長さは８６ｍｍであり、カードボード２の幅は４６ｍｍであり、カードボード２は食用材料で製造される。
【００１６】
食用シリコーン油３の幅は２２〜２５ｍｍである。食用シリコーン油３は無色無味の耐高温の材料で製造されることにより、巻紙１は気体霧を形成する載置段内の水分と香料が浸透されることを長く防止し、巻紙１の表面の品質を向上させることができる。
【００１７】
食用接着剤４の幅は１．０ｍｍであり、食用接着剤４は白色無味の材料で製造される。少量の食用接着剤４を採用することにより巻紙１をより安全に、より健康にすることができる。
【００１８】
巻紙１の内径は６．５ｍｍであり、巻紙１の外径は７．０〜７．３ｍｍである。巻紙１が多層に形成されることにより、巻紙１は良好な強度と真円度を有しており、巻紙１は容易に変形することができない。
【００１９】
この考案を使用するとき、食用レベルの白色カードボード２、食用シリコーン油３、食用接着剤４の材料で製造される巻紙１を採用することにより、巻紙１は滲出を長く防止することができる。また、少量の食用接着剤を採用することにより巻紙をより安全に、より健康にすることができる。また、巻紙１が多層に形成されることにより良好な強度と真円度を有しており、容易に変形することができない。
【００２０】
以上、この考案の具体的な実施形態を詳述してきたが、前記実施形態はこの考案の例示にしか過ぎないものであり、この考案は前記実施形態の構成にのみ限定されるものではない。この技術分野の技術者は、この考案の要旨を逸脱しない範囲内において技術的事項と技術的思想の改良、変更をすることができ、このような改良、変更等があってもこの考案に含まれることは勿論である。
【符号の説明】
【００２１】
１  巻紙
２  食用カードボード
３  食用シリコーン油
４  食用接着剤
【図１】
0003225788.tif 000003
【図２】
0003225788.tif 000004